(57)【要約】【課題】本体フレームの両側に配置されて、キャリッジを走行させる一対のワイヤのテンションを一定に保つための調整作業を簡易に行うことができる画像読込装置のワイヤ調整機構及びワイヤ調整方法を提供する。【解決手段】駆動機構２３に、キャリッジ２、３の両側に位置する各ワイヤ４の末端部を支持する調整板２４を設ける。該調整板２４は、一対のワイヤ４の末端部を共に支持するとともに、本体フレーム２０上の基準位置を中心として該本体フレーム２０に対して位置調整自在に設ける。【選択図】図１
2009237391.tif 000002
【特許請求の範囲】
【請求項１】
原稿が載置される原稿台ガラスが上面に取り付けられた本体フレームと、該本体フレームの幅方向に沿って走行する第１キャリッジと、前記本体フレームの幅方向に沿うようにかつ該第１キャリッジの半分の速度で走行される第２キャリッジと、これらキャリッジの両側に設けられて該キャリッジを走行させる一対のワイヤを有する駆動機構とを具備し、該駆動機構によって、前記キャリッジを駆動して原稿台ガラス上の原稿を走査する画像読込装置における前記ワイヤの調整機構であって、
前記駆動機構には、前記キャリッジの両側に位置する各ワイヤの末端部を支持する調整板が設けられてなり、
前記調整板は、前記一対のワイヤの末端部を共に支持するとともに、前記本体フレーム上の基準位置を中心として該本体フレームに対して位置調整自在に設けられていることを特徴とする画像読込装置のワイヤ調整機構。
【請求項２】
前記調整板は、前記一対のワイヤの間に配置されてその両端部にて該ワイヤの末端部をそれぞれ支持してなり、
前記一対のワイヤの中間部に位置する本体フレーム上には、基準位置となる棒状の位置決め部材が固定されるとともに、前記調整板の中央部には、前記キャリッジの移動方向に沿い、かつ前記位置決め部材をその内部に貫通させる長孔が形成され、
前記調整板には、該調整板を本体フレームに固定するための固定部材が設けられていることを特徴とする請求項１記載の画像読込装置のワイヤ調整機構。
【請求項３】
原稿が載置される原稿台ガラスが上面に取り付けられた本体フレームと、該本体フレームの幅方向に沿って走行する第１キャリッジと、前記本体フレームの幅方向に沿うようにかつ該第１キャリッジの半分の速度で走行される第２キャリッジと、これらキャリッジの両側に設けられて該キャリッジを走行させる一対のワイヤを有する駆動機構とを具備し、該駆動機構によって、前記キャリッジを駆動して原稿台ガラス上の原稿を走査する画像読込装置における前記ワイヤの調節方法であって、
前記キャリッジの両側に位置する各ワイヤの末端部を共に一枚の調整板によって支持するとともに、該調整板を、前記本体フレームに設けられた基準位置を中心として、該本体フレームに対して位置調整することを特徴とする画像読込装置のワイヤ調整方法。
【請求項４】
原稿が載置される原稿台ガラスが上面に取り付けられた本体フレームと、該本体フレームの幅方向に沿って走行する第１キャリッジと、前記本体フレームの幅方向に沿うようにかつ該第１キャリッジの半分の速度で走行される第２キャリッジと、これらキャリッジの両側に設けられて該キャリッジを走行させる一対のワイヤを有する駆動機構と、請求項１または２記載のワイヤ調節機構とを具備する画像読込装置を備えることを特徴とする画像形成装置。
【発明の詳細な説明】
【技術分野】
【０００１】
本発明は、コピー、スキャナーなどに使用される画像読込装置のワイヤ調整機構及びワイヤ調整方法、並びに画像形成装置に関するものである。
【背景技術】
【０００２】
従来、この種の画像読込装置として、特許文献１に示される走査装置が知られている。この特許文献１に示される走査装置１は、図３に示されるように、原稿が載置される原稿台ガラスが上面に取り付けられた本体フレーム（図示略）と、該本体フレームの幅方向に沿って走行する第１キャリッジ２と、本体フレームの幅方向に沿うようにかつ第１キャリッジ２の半分の速度で走行される第２キャリッジ３と、これらキャリッジ２、３の両側に設けられて該キャリッジ２、３を共に走行させる一対のワイヤ４（図では片側のみ記載）を有する駆動機構５とを具備する。
【０００３】
そして、この駆動機構５では、第１キャリッジ２及び第２キャリッジ３を２：１の速度比で駆動することにより、該キャリッジ２、３に搭載されたキセノンランプ及びミラーによって原稿台ガラス上の原稿の画像光を、レンズを介してＣＣＤに結像させる。
すなわち、第１キャリッジ２はフルレートキャリッジとして、第２キャリッジ３はハーフレートキャリッジとして機能している。
【０００４】
駆動機構５は、走査装置の２つのキャリッジ２、３の両側に平行に配置されて、連動駆動される一対のワイヤ４を有するものであって、それぞれのワイヤ４は、それぞれのワイヤ４に対して設置される支持部材である調整板６に一端部が接続されて支持され、他端部が抵抗付与ガイド７、振動吸収部材であるスプリング８を介して支持ブラケット９で支持されている。
【０００５】
また、各ワイヤ４は、キャリッジ２、３の移動方向（矢印Ａ−Ｂ方向）に沿う前後端部に配置したアイドラプーリ１０、１１に支持され、各ワイヤ４の中間部にある駆動軸１２に設けたキャプスタンプーリ１３を介して駆動される。また、各ワイヤ４は、第１キャリッジ２に対して固定部１４で固定され、第２キャリッジ３に対してプーリ１５に巻き掛けられている。
【０００６】
すなわち、各ワイヤ４は、駆動軸１２のキャプスタンプーリ１３を挟んで一方側（符号４Ａで示す）が、アイドラプーリ１０、第１キャリッジ２の固定部１４、プーリ１５を介して調整板６に連結され、また、駆動軸１２のキャプスタンプーリ１３を挟んで他方側（符号４Ｂで示す）が、アイドラプーリ１１、プーリ１５、抵抗付与ガイド７、スプリング８を介して支持ブラケット９に連結されている。そして、このような駆動機構５により、駆動軸１２のキャプスタンプーリ１３を正逆方向に駆動することにより、２つのキャリッジ２、３を、走査方向Ａと、リターン方向Ｂに向けてそれぞれ連動して走行させ、これによって原稿の画像走査が行なわれるようになっている。
【特許文献１】特許第３３６５３６１号公報
【発明の開示】
【発明が解決しようとする課題】
【０００７】
ところで、上記の画像読込装置１では、本体フレームの両側に配置されて、キャリッジ２、３を矢印Ａ‐Ｂ方向に走行させる一対のワイヤ４のテンションを一定に保つために、各側にある調整板７の位置を矢印Ａ−Ｂ方向に沿って調整しているが、各側の調整板７を個別に調整するのは困難な作業であり、各ワイヤ４のテンションの相違によって、２つのキャリッジ２、３の平行度が維持できなくなり、画像の歪み等が生じる恐れがあった。また、このようなテンションの調整作業は本体フレームの両側方から同時に行う必要があり、テンション調整に際して十分な作業スペースを確保する必要があった。
【０００８】
本発明は、上述する問題点に鑑みてなされたもので、本体フレームの両側に配置されて、キャリッジを走行させる一対のワイヤのテンションを一定に保つための調整作業を簡易に行うことができる画像読込装置のワイヤ調整機構及びワイヤ調整方法の提供を目的とする。
【課題を解決するための手段】
【０００９】
上記課題を解決するために、本発明の画像読込装置のワイヤ調節機構は、原稿が載置される原稿台ガラスが上面に取り付けられた本体フレームと、該本体フレームの幅方向に沿って走行する第１キャリッジと、上記本体フレームの幅方向に沿うようにかつ該第１キャリッジの半分の速度で走行される第２キャリッジと、これらキャリッジの両側に設けられて該キャリッジを走行させる一対のワイヤを有する駆動機構とを具備し、該駆動機構によって、上記キャリッジを駆動して原稿台ガラス上の原稿を走査する画像読込装置におけるワイヤの調節機構であって、上記駆動機構に、上記キャリッジの両側に位置する各ワイヤの末端部を支持する調整板を設けてなり、上記調整板により上記一対のワイヤの末端部を共に支持するとともに、該調整板を、本体フレーム上の基準位置を中心として該本体フレームに対し位置調整自在に設けることを特徴とする。
【００１０】
また、本発明の画像読込装置のワイヤ調節機構においては、一対のワイヤの間に配置された調整板の両端部にて該ワイヤの末端部をそれぞれ支持し、一対のワイヤの中間部に位置する本体フレーム上に、基準位置となる棒状の位置決め部材を固定するとともに、該調整板の中央部に、キャリッジの移動方向に沿い、かつ位置決め部材をその内部に貫通させる長孔を形成し、さらに該調整板に、該調整板を本体フレームに固定するための固定部材を設けるという構成を採用する。
【００１１】
次に、本発明の画像読込装置のワイヤ調節方法は、原稿が載置される原稿台ガラスが上面に取り付けられた本体フレームと、該本体フレームの幅方向に沿って走行する第１キャリッジと、上記本体フレームの幅方向に沿うようにかつ該第１キャリッジの半分の速度で走行される第２キャリッジと、これらキャリッジの両側に設けられて該キャリッジを走行させる一対のワイヤを有する駆動機構とを具備し、該駆動機構によって、上記キャリッジを駆動して原稿台ガラス上の原稿を走査する画像読込装置におけるワイヤの調節方法において、上記キャリッジの両側に位置する各ワイヤの末端部を共に一枚の調整板によって支持するとともに、該調整板を、上記本体フレームに設けられた基準位置を中心として、該本体フレームに対して位置調整することを特徴とする。
【００１２】
次に、本発明の画像形成装置は、原稿が載置される原稿台ガラスが上面に取り付けられた本体フレームと、該本体フレームの幅方向に沿って走行する第１キャリッジと、上記本体フレームの幅方向に沿うようにかつ該第１キャリッジの半分の速度で走行される第２キャリッジと、これらキャリッジの両側に設けられて該キャリッジを走行させる一対のワイヤを有する駆動機構と、本発明のワイヤ調節機構とを具備する画像読込装置を備えることを特徴とする。
【発明の効果】
【００１３】
本発明では、本体フレームに対して位置調整自在な単一の調整板により２本のワイヤのバランスを見ながら、これらワイヤのテンションを調整することができる。これにより、ワイヤのテンション調整作業を簡単にかつ効率良く行うことができる効果を奏する。
【発明を実施するための最良の形態】
【００１４】
以下、図面を参照して、本発明に係る画像読込装置のワイヤ調節機構及びワイヤ調節方法、並びに画像形成装置の一実施形態について説明する。なお、以下の図面において、各部材を認識可能な大きさとするために、各部材の縮尺を適宜変更している。
【００１５】
（画像読込装置のワイヤ調節機構及びワイヤ調節方法）
図１及び図２に示すように画像読込装置１００の基本構成は、図３に示す画像読込装置１と同じであり、構成を共通とする箇所に同一符号を付して重複した説明を省略する。
すなわち、図１及び図２に示される画像読込装置１００においても、原稿の画像を読み取る際には、フルレートキャリッジとなる第１キャリッジ２及びハーフレートキャリッジとなる第２キャリッジ３を、本体フレーム２０の長さ方向である矢印Ａ−Ｂ方向に走査しつつ、原稿台ガラス３上に載置された原稿に、キセノンランプ（図示略）からの光を照射する。その後、原稿に光を照射することにより得られた画像光は、その光路が第１キャリッジ２上のミラー２１にて折り曲げられた後、第２キャリッジ３のミラー２２にて折り曲げられ、その進行方向が転換される。
その後、当該画像光は、レンズを介してＣＣＤに結像され、該ＣＣＤにてその画像データが読み取られる。また、第１キャリッジ２、第２キャリッジ３は、駆動機構２３（後述する）により２：１の速度比で駆動されることにより、原稿からＣＣＤまでの光路長を常に一定に保ちながら、原稿台ガラス上の原稿を走査する。
【００１６】
次に、図１及び図２を参照して、画像読込装置１００のワイヤ調整機構１０１について説明する。
【００１７】
このワイヤ調整機構１０１は、第１キャリッジ２及び第２キャリッジ３を駆動させるための駆動機構２３に係るものであるが、この駆動機構２３は、従来の図３に示す駆動機構５と基本構成が同一であるために、以下、相違する箇所について説明する。
【００１８】
図１及び図２に示すように、ワイヤ調節機構１０１は、キャリッジ２、３の両側に位置する２本のワイヤ４の末端部を連結金具２５を介して支持する調整板２４を備える。
【００１９】
調節板２４は、水平に配置された板状部２６と、該板状部２６の各端部に設けられてキャリッジ２、３両側の各ワイヤ４の末端部を支持する折曲部２７、２７とを有する一枚のプレート板によって構成されるものであって、本体フレーム２０上の基準位置（符号Ｏで示す）を中心として該本体フレーム２０に対して位置調整自在に設けられている。
具体的には、この本体フレーム２０上でかつ２本のワイヤ４の中間部には、基準位置（符号Ｏで示す）となり、かつ位置決め部材となるねじ部材２８が直立するように固定されており、該ねじ部材２８は、調整板２４の中央部に形成された長孔２９に貫通されている。
【００２０】
上記長孔２９は、調整板２４の板状部２６の中央部で、かつキャリッジ２、３の走査方向である矢印Ａ−Ｂ方向に沿うように形成されているものであって、該長孔２９をねじ部材２８に対して相対移動又は回転させることで、該調整板２４が、本体フレーム２０に対して位置調整される。
【００２１】
また、ねじ部材２９には固定部材となるナット３０が螺合されるようになっており、該ナット３０によって調整板２４の板状部２６が本体フレーム２０に押圧される。これによって調整板２４が本体フレーム２０に対して位置決め固定されるようになっている。
【００２２】
次に、上記のように構成されたワイヤ調整機構１０１によるワイヤ４のテンション調整方法について説明する。
【００２３】
まず、ワイヤ４を調整するに際して、冶具によって２つのキャリッジ２、３が平行状態となるようにこれらキャリッジ２、３を互いに固定し、かつ駆動軸１２のキャプスタンプーリ１３をフリーな状態にしておく。
【００２４】
次に、調整板２４の長孔２９をねじ部材２８に対して相対移動又は回転させることで、該調整板２４を、本体フレーム２０に対して位置合わせする。このとき、調整板２４の位置によって、該調整板２４の各側に位置するワイヤ４のテンションが変化するが、このときのテンションが同一となるように本体フレーム２０に対する該調整板２４を位置決めする。
【００２５】
その後、ナット３０を締結することによって調整板２４を本体フレーム２０に固定した後、キャリッジ２、３を固定する冶具を取り外すことで、ワイヤ４のテンション調整作業を完了する。なお、両ワイヤ４のテンションは、プッシュプルゲージなどの荷重測定装置を用いて均一となるように調整する。
【００２６】
上記のように構成された画像読込装置１００のワイヤ調整機構１０１によれば、一対のワイヤ４の間に配置されかつその両端部にて該ワイヤ４の末端部をそれぞれ支持する単一の調整板２４の中央部に、キャリッジ２、３の移動方向（矢印Ａ−Ｂ方向）に沿う長孔２９を形成し、さらに該長孔２９内に、本体フレーム２０上に固定された基準位置（符号Ｏで示す）となるねじ部材２８を貫通させたので、長孔２９を介して該調整板２４をねじ部材２８に対して相対移動又は回転させることによって、該調整板２４を本体フレーム２０に対して位置調整することができる。
【００２７】
これによって該調整板２４の両側にそれぞれ支持された一対のワイヤ４のテンションを、バランスを見ながら同時に調整することができ、該ワイヤ４のテンション調整作業を簡単にかつ効率良く行うことができる。
【００２８】
また、調整板２４は一対のワイヤ４の間に配置されているので、従来のように本体フレーム２０の両側方から、ワイヤ４毎に個別に調整板２４を調整する必要がなく、省スペース化にも寄与することができる。
【００２９】
なお、上記ワイヤ調整機構１０１の構成は、上記実施形態に示すものに限定されず、以下にように構成しても良い。
【００３０】
例えば、上記実施形態では、本体フレーム２０上の基準位置（符号Ｏで示す）にねじ部材２８を固定し、該ねじ部材２８を貫通するように調整板２４の長孔２９を配置したが、これに限定されず、基準位置（符号Ｏで示す）を中心として調整板２４に間隔をおいて２つの円弧状の長孔を設け、これら円弧状の長孔の中に本体フレーム２０に間隔をおいて固定された２本のねじ部材をそれぞれ貫通させ、貫通後のねじ部材にナットを螺合させるようにすることにより、ワイヤ４のテンションを調整しても良い。
【００３１】
また、位置決め部材であるねじ部材２８に、固定部材であるナット３０を螺合することで、調整板２４を本体フレーム２０上に固定するようにしたが、これに限定されず、例えば、ねじ部材２８をピンによって構成し、別途設けたねじによって調整板２４を本体フレーム２０に固定しても良い。
【００３２】
（画像形成装置）
次に、図４を参照して上記画像読取装置を備える画像形成装置について説明する。なお、以下の説明においては、画像形成装置の一例として複写機を挙げて説明するが、本発明はこれに限られるものではなく、例えば、プリンタ、ファクシミリ及び複合機等の画像形成装置に適用することができる。
【００３３】
図４は、本実施形態における複写機１０００を示す斜視図である。
複写機１０００は、図４に示すように、原稿の画像を読み取る画像読取装置２００と、画像読取装置２００の原稿読取位置に原稿を給送する自動原稿送り装置３００と、画像が形成される印刷用紙（記録媒体）を収納する用紙カセット４００と、複写機１０００を操作する操作装置５００とを有する構成となっている。そして、画像読取装置２００として、上記実施形態の画像読取装置１が用いられている。
また、複写機１の内部には、画像読取装置２００で読み取った画像を記憶する画像記憶部と、記憶された画像を画像処理する画像処理部と、画像処理されたデータを基に印刷処理（画像形成）をする印刷部と、複写機１０００の全体動作を制御する制御部とを備える構成となっている。
【００３４】
画像読取装置２００は、例えば、原稿の画像を読み取るＣＣＤ（Charge Coupled Device）ラインセンサ等を備えるスキャナーを有する構成となっており、制御部の制御の下、自動原稿送り装置３００から供給された原稿の画像をスキャナーで読み取り、原稿画像の形状や色彩等の画像データを画像記憶部に出力する構成となっている。
【００３５】
画像記憶部は、ハードディスク等の外部記憶装置或いは／及び半導体メモリ等から構成されており、制御部の制御の下、画像読取装置２００から入力された画像データを書き込み記憶すると共に、当該画像データを読み出して画像処理部へ出力する構成となっている。
【００３６】
画像処理部は、制御部の制御の下、画像記憶部から入力された原稿の画像データ（ＲＧＢ型式画像データ）に各種の画像処理を施すと共に、当該画像処理によって生成された画像データ（ＲＧＢ型式画像データ）を印刷形式の画像データ（ＣＭＹＫ型式画像データ）に変換して印刷部に出力するものである。
【００３７】
印刷部は、制御部の制御の下、用紙カセット３００に収納された印刷用紙を搬送しつつ当該印刷用紙にトナーを付着させることにより、画像処理部から入力された画像データに基づいて印刷用紙に画像を形成するものであり、感光ドラム、露光装置、定着装置等を備える構成となっている。
【００３８】
制御部は、ＣＰＵ（Central Processing Unit）、ＲＯＭ（Read Only Memory）やＲＡＭ（Random Access Memory）等の内部メモリから成る電子部品及び電子回路等、並びに各種構成機器とのデータ授受を行う入出力インターフェース回路等から構成されている。
【００３９】
このような本実施形態の複写機１０００によれば、上記画像読取装置２００にて上述の画像読取装置１におけるワイヤ調節機構及びワイヤ調節方法と同様の効果を奏する。
【００４０】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００４１】
【図１】本発明の一実施形態に係るワイヤ調節機構及びワイヤ調節方法を用いる画像読込装置を示す斜視図である。
【図２】本発明の一実施形態に係るワイヤ調節機構及びワイヤ調節方法を用いる画像読込装置の左側面図である。
【図３】従来の画像読込装置を示す概略構成図である。
【図４】本発明の一実施形態に係る画像形成装置である複写機の斜視図である。
【符号の説明】
【００４２】
２……第１キャリッジ、３……第２キャリッジ、４……ワイヤ、２０……本体フレーム、２３……駆動機構、２４……調整板、２８……ねじ部材（位置決め部材）、２９……長孔、３０……ナット（固定部材）、１００……画像読込装置、１０１……ワイヤ調整機構、１０００……複写機、２００……画像読込装置
【図１】
2009237391.tif 000003
【図２】
2009237391.tif 000004
【図３】
2009237391.tif 000005
【図４】
2009237391.tif 000006